Podtech/llm-jp-corpus-v4-ja_patent huggingface dataset:
(57)【要約】【課題】本考案は、金属でほぼ構成されている玄関パネルに替わり、ガラス及びガラスと木製の突き板等で出来た、複合ガラス板を基板とした、玄関パネルを構築した物である。【解決手段】本考案は、アルミ等金属の４方向に外枠を設け、金属の底板を組み込み、底板にガラスを貼るための、専用両面テープを貼り、各種部品を取付れるように切り欠きのあるガラス等を貼り付ける。更にガラス等の切り欠き部の底板に照明器具、インターホン子機、新聞受け等を取り付ける。ガラス面には、室番号、名前等書込んだり、シート等貼り付ける。更に、両袖パネルの上部にパネルを設ける場合、外枠と底板との連結で一体化の三方向パネル枠が出来る、袖部と同様にガラス等を貼ることにより、三方向のガラス等面の玄関パネルが出来る。【選択図】　　図１
0003098814.tif 000002
【実用新案登録請求の範囲】
【請求項１】
金属枠とガラス板との組み合わせによる本体パネルを設け、照明器具、室番号、名前、インターホン子機、新聞受けなどのいずれかを取付けた事を特徴とする構造。
【請求項２】
玄関扉出入口外部の左右の２面又は左右及び上部を含めた３面にパネルを設置する構造。
【考案の詳細な説明】
【０００１】
【考案の属する技術分野】
本考案は、玄関出入口周辺部に設置される、玄関袖パネル及び両袖パネル、両袖及び上部を含めた３面パネル。
【０００２】
【従来の技術】
集合住宅等において玄関入口周辺に設置している表札や、室番号、表札、インターホン子機、新聞受け等組み込んだ一体型パネルは、全体を金属又は、金属に１部プラスチック又は、アクリル板等を組み込んだもので、構成されている。
設置場所も玄関扉の戸先側の袖部側のみに設置されている。
【０００３】
【考案が解決しようとする課題】
金属でほぼ構成されている玄関パネルに替わり、ガラス及びガラスと木製の突き板等で出来た、複合ガラス板を基板とした、玄関パネルを構築した物である。更に、玄関の片側の袖以外に、両袖への設置、アルミ製の外枠の連結によって両袖パネルと上部パネルの一体化した、三方パネルが出来る。金属の仕上げや塗装での仕上げ以外のガラス等による表現が出来る。
【０００４】
【課題を解決する為の手段】
本考案は、アルミ等金属の４方向に外枠を設け、金属の底板を組み込み、底板にガラスを貼るための、専用両面テープを貼り、各種部品を取付れるように切り欠きのあるガラス等を貼り付ける。更にガラス等の切り欠き部の底板に照明器具、インターホン子機、新聞受け等を取り付ける。ガラス面には、室番号、名前等書込んだり、シート等貼り付ける。
更に、両袖パネルの上部にパネルを設ける場合、外枠と底板との連結で一体化の三方向パネル枠が出来る、袖部と同様にガラス等を貼ることにより、三方向のガラス等面の玄関パネルが出来る。
【０００５】
【考案の実施の形態】
玄関パネル本体に組み込んだ、インターホン子機は、検査やメインテナンスの為にパネル面より脱着出来る必要が有る。外枠に組み込んだ底板の上部にＳＵＳ４３０で出来た受け金具を取付け、インターホン子機を取付けたインターホン子機フェースパネルにマグネットテープを貼りトッコ式で受け金具に取付けることにより、簡単に脱着可能となる。
【０００６】
【実施例】
以下、添付図面に従って実施例を説明する。１の外枠に、２の金属底板に３の照明器具取付け用ピンの取付け及び照明器具用通線穴４、新聞受け取付けピン５を取付ける、金属底板の上の溝にトッコ穴６の開いた受け金具７を取付ける。
外枠に２から７を組み込んだパネルを玄関の袖部に設置固定して、２の金属底板にガラスを貼る為の専用両面テープ８を貼り付ける。照明器具取付け穴及び通線穴開け加工した玄関袖パネル上部ガラス板９を両面テープ面に貼る。受け金具のスペースをあけて
新聞受けを取付ける穴か加工した、玄関袖下部ガラス板１０を貼り、最下部にガラス破損防止の金属等の巾木１１を貼り付ける。３のピンに照明器具を取付け、４の穴に結線した電線を通す。５のピンに新聞受け１２を取付ける。ガラス９にシートで出来た室番号１３及び名前１４を貼る又は書込みや彫り込んで表記１５のインターホン子機フェースパネルにスタッドボルトを取り付けナットを取付けてトッコ金具１６として、４方の端にマグネットシート１７を貼る。
１５のフェースパネルにインターホン子機を組み込み、電線を結線し７の受け金具に差込取付ける。照明器具１８を４の通線穴より露出している電線と結線する。
【０００７】
玄関上部にパネル取付ける場合は、両袖パネルの外枠に底板を取付けて、上部パネルも同様に底板を取付け、両袖、上部の外枠同士と底板をビス１９で固定し、そこ板にガラスを貼り付ける専用の両面テープを貼り、上部パネルガラス板２０を貼る。同様に玄関扉吊り元側の袖パネルガラス板２１を貼る。
【０００８】
【考案の効果】
上述の様に、本考案の玄関パネルは金属とガラスとの組合せで、出来ているものの、見えがかりのほとんどがガラス板である。ガラス同様その他の素材例えば、突き板、各種シート、塗り板などを、貼ることにより表現することが出来る。更に、同様の仕上の両袖プラス上部の３方パネルが表現できる。
【図面の簡単な説明】
【図１】本考案の玄関パネルの片袖パネルの実施例の正面図である。
【図２】両袖及び上部の３方の玄関パネルの実施例の正面図である。
【符号の説明】
１　　外枠
２　　金属底板
３　　照明器具取付け用ピン
４　　照明器具用通線穴
５　　新聞受け取付けピン
６　　受け金具のトッコ穴
７　　受け金具
８　　ガラス貼り専用両面テープ
９　　玄関袖パネル上部ガラス板
１０　玄関袖パネル下部ガラス板
１１　巾木
１２　新聞受け
１３　室番号
１４　名前
１５　インターホン子機フェースパネル
１６　トッコ金具
１７　マグネットシート
１８　照明器具
１９　外枠と底板連結ビス止め部
２０　上部パネルガラス板
２１　袖部パネルガラス板
ａ１　片袖玄関パネルの玄関扉図
ａ２　三方袖玄関パネルの玄関扉図
【図１】
0003098814.tif 000003
【図２】
0003098814.tif 000004
(57)【要約】【課題】モバイル機器の簡易ワイピング具の製造が簡単、かつ、安価に行え、少量から大量の注文に対しても簡単に対処できるモバイル機器の簡易ワイピング具を開発・提供する。【解決手段】レピア織機等の織機によって、ポリエステルを素材として織り、織りの段階で、袋織りされた袋本体１を設け、該袋本体の片面に接着フィルム２を貼着した後、極細繊維で織り上げた拭き布３を貼着し、この拭き布と張り合わせた袋本体を、レーザーカット機にて、所望の形状にカットし、前記袋織りされた袋本体内に、ポリウレタンを素材とした充填材４を充填したことを特徴とするモバイル機器の簡易ワイピング具から構成される。【選択図】　　　　図１
0003098894.tif 000002
【実用新案登録請求の範囲】
【請求項１】
レピア織機等の織機によって、ポリエステルを素材として折り、織りの段階で、袋織りされた袋本体（１）を設け、該袋本体（１）の片面に接着フィルム（２）を貼着した後、極細繊維で織り上げた拭き布（３）を貼着し、この拭き布（３）と張り合わせた袋本体（１）を、レーザーカット機にて、所望の形状にカットし、前記袋織りされた袋本体（１）内に、ポリウレタンを素材とした充填材（４）を充填したことを特徴とするモバイル機器の簡易ワイピング具。
【請求項２】
袋本体（１）の材質が、ジャガード織物であり、ストラップ（Ｘ）を設けたことを特徴とする特許請求の範囲第１項記載のモバイル機器の簡易ワイピング具。
【考案の詳細な説明】
【０００１】
【考案の属する技術分野】
本考案は、モバイル機器の簡易ワイピング具に関するものである。
【０００２】
【従来の技術】
従来、モバイル機器，例えば、携帯電話機の表示窓は、交信時に人体の頬や耳等が接触して、皮脂等が窓の表面に付着し、そのままにすると、皮脂に塵埃が付着してしまい、表示画面が見にくく、また、不衛生でもあるため、その都度、クリーナーで拭き取って使用しているのが実状である。
【０００３】
しかも、従来のクリーナーの素材は、塩化ビニール、革、合成皮革で構成されており、硬く、また、さまざまな形に成型し難く、成型金型の作成に時間がかかり、また、その金型代も高額のものであった。
【０００４】
【考案が解決しようとする課題】
そこで、この考案は、上記の各欠点を除去するために考案されたものであり、モバイル機器の簡易ワイピング具の製造が簡単、かつ、安価に行え、少量から大量の注文に対しても簡単に対処できるモバイル機器の簡易ワイピング具を開発・提供することにある。
【０００５】
【課題を解決するための手段】
そのため、この考案は、レピア織機及びニードル織機、シャトル織機により、織りの段階で袋を形成（通常、袋織りという）することにより、ポリエステル素材の袋本体が形成できることを利用し、環境破壊への配慮をし、金型を使用しないことにより、袋本体の外形の変更が容易にでき、内部に充填する充填材も環境破壊への配慮をしたモバイル機器の簡易ワイピング具である。
【０００６】
【考案の実施の形態】
次に、この考案の一実施例を図面に基づいて詳細に説明すると、レピア織機等の織機によって、ポリエステルを素材として織り、織りの段階で、袋織りされた袋本体（１）を設け、該袋本体（１）の片面に接着フィルム（２）を貼着した後、極細繊維で織り上げた拭き布（３）を貼着し、この拭き布（３）と張り合わせた袋本体（１）を、レーザーカット機にて、所望の形状にカットし、前記袋織りされた袋本体（１）内に、ポリウレタンを素材とした充填材（４）を充填したことを特徴とするモバイル機器の簡易ワイピング具から構成されるものである。
【０００７】
尚、袋本体（１）の片面に接着フィルム（２）を貼着した後、極細繊維で織り上げた拭き布（３）を貼着する手段の一例としては、プレス機で圧着するものである。
【０００８】
また、レーザーカット機にて、所望の形状にカットされた袋本体（１）内に、充填材（４）を充填するに当たり、充填材（４）の一例は、ポリウレタン製の糸であり、この充填材（４）を充填する手段の一例としては、注射器形状の器具を用いて、糸を圧入して、完成させるものである。
【０００９】
さらに、袋本体（１）は、ジャガード織物であり、袋本体には、各メーカーのブランドロゴや、各球団のマスコットキャラクターを入れたものでもよい。
【００１０】
また、これらの袋本体（１）は、ストラップ（Ｘ）を装着して、該ストラップで携帯電話に装着しておけば、表示窓がすぐに拭ける。
【００１１】
【考案の効果】
この考案によると、袋織りのできる織機を用いて袋本体を製造し、片面に、極細繊維で織り上げた拭き布（３）を貼着し、金型を使用することなく、レザーカット機で種々色々な形状にカットするため、従来のように、金型を設ける必要がなく、固定費（金型作成費用）を抑えることができ、生産リスクを最小限とし、さらに、袋本体に充填材（４）を充填することにより、袋本体（１）が固定され、該袋本体（１）を持ち、該袋本体の片面に貼着した拭き布（３）で表示窓を拭くと、拭きやすくなり、また、充填材（４）の素材にポリウレタンを使用することにより、焼却してもダイオキシン問題等の環境破壊を防止でき、また、袋本体（１）に保存携帯用ケースにストラップ（Ｘ）を設けることにより、携帯電話等の使用機器に装着することにより、一体に携行でき、使用時に瞬時に利用が可能である等極めて有益なる効果を奏する。
【図面の簡単な説明】
【図１】この考案の一実施例を示す説明図である。
【図２】この考案の実施によって得られた簡易ワイピング具の一例を示す正面図である。
【符号の説明】
１　袋織りされた袋本体
２　接着フィルム
３　極細繊維で織り上げた拭き布
４　充填材
Ｘ　ストラップ
【図１】
0003098894.tif 000003
【図２】
0003098894.tif 000004
(57)【要約】【課題】従来の学生服は、規格の寸法により製造されている衣服であり、学制としての品性を保つために余分な加工が成されていない制服であるが、冬季に於いては、この学生服の上からオーバーコート等の防寒具を着用して対応していた。【解決手段】本考案は、オーバコート等の防寒具を必要としないために、学生服裏地に直接防寒具の一種であるライナーをファスナー同士で脱着可能に取り付けることが可能な防寒用学生服を提供するものである。【選択図】図１
0003098895.tif 000002
【実用新案登録請求の範囲】
【請求項１】
学生服の裏地に別体からなる裏地を取り付けた学生服において、学生服の裏地側に設けられた左右両前身、及び肩裏から首裏に沿っての端部に連続的にファスナー部を設け、前記別体からなる裏地は、袖無しであって前側が開放されているライナーであって、該ライナー端部にファスナー部が設けられて、前記学生服裏地側ファスナー部と定着可能であり、さらに裏側にポケット部を取り付けてあることを特徴とする防寒用学生服。
【請求項２】
前記別体からなる裏地は、左右袖無し部にボタンを取り付けてあり、前記学生服の裏地側袖入り口部に設けられているボタンがけと脱着可能に取り付けられる構造となっていることを特徴とする請求項１記載の防寒用学生服。
【考案の詳細な説明】
【０００１】
【考案の属する技術分野】
本考案は、学生服に関し、更に詳しくは学生服裏地に脱着可能なライナーをファスナーで定着可能とした防寒性に優れた学生服を提供するものである。
【０００２】
【考案が解決しようとする課題】
学生服は規格の寸法により製造されている衣服であり、学生としての品性を保つために余分な加工はされていないシンプルなものである。
【０００３】
このような学生服の中にあって、前身裏地に意匠を施した物を使用する学生服として、実開昭５７−１９６１１９号「学生服の裏面構造」は、意匠を施した前身裏地を覆う別体の無地の裏地を、意匠部分上部に形成したポケットに収容取出し自在に設けると共に、無地の両側をファスナーにより前身裏地に定着可能に設けた学生服の裏面構造を開示している。
【０００４】
しかしながら上記学生服は、前身裏地に設けた意匠を覆うように別体の裏地を取り付けたものであり、結果としてこの覆った部分が二重になり若干の防寒性を有するが、冬季における防寒具そのものとしては単独で使用ができなかった。
【０００５】
一方で、近年の学生は、学生服の上に着るオーバ類をファッション感覚から着用せず、厳冬期においても下着を厚くするだけで学生服を着用しているために風邪等にかかりやすいという問題があった。
【０００６】
従って厳冬期の外部において着用が可能で、且つ学校や自宅等での室内に置いては通常の学生服として使用可能な新規な学生服が望まれていた。
【０００７】
【課題を解決するための手段】
本考案者は、かかる課題を解決するために鋭意研究したところ、学生服の裏地端部に沿ってファスナー部を逢着させ、一方、内部に用いる袖無しライナーの前側端部にファスナー部を逢着させて、相互に脱着可能に定着させるとオーバー類を着用しなくても同等の防寒効果を得ることを見いだし、本考案に係る防寒用学生服を手依拠婦することができた。
【０００８】
すなわち本考案の第一は、学生服の裏地に別体からなる裏地を取り付けた学生服において、学生服の裏地側に設けられた左右両前身、及び肩裏から首裏に沿っての端部に連続的にファスナー部を設け、前記別体からなる裏地は、袖無しであって前側が開放されているライナーであって、該ライナー端部にファスナー部が設けられて、前記学生服裏地側ファスナー部と定着可能であり、さらに裏側にポケット部を取り付けてあることを特徴とする防寒用学生服である。
【０００９】
本考案の第二は、前記別体からなる裏地は、左右袖無し部にボタンを取り付けてあり、前記学生服の裏地側袖入り口部に設けられているボタンがけと脱着可能に取り付けられる構造となっていることを特徴とする請求項１記載の防寒用学生服である。
【００１０】
【考案の実施の形態】
図１及び図２は、本考案に係る防寒用学生服の裏地に別体であるライナーを取り付けた状態を示す正面図である。この学生服裏地５側には、該裏地の端部にファスナー部７が両見頃から肩部等にかけて逢着され、左右袖無し部６，８が設けられている。
【００１１】
一方、図３及び図４は、前記ライナーを示す正面図と側面図であるが、本考案のライナーは、３側面一体にファスナー部１２が逢着され、前記学制服裏地のファスナー部７と脱着可能に取り付けられるようになっている。
【００１２】
ライナー用の袖無し部１１、１３には、ボタン掛け１４が逢着され、学生服に設けられている左右袖無し部６，８に取り付けられたボタン９と係合できるようになっている。
【００１３】
上記のように、ファスナー部の係合とボタン掛けで学生服本体に上記ライナーを簡易に取り付け可能である構造となっているが、ライナーの内部には綿、ウール等の暖房用の素材を入れ、キルティング加工して防寒性を高めている。
【００１４】
この他、学生服裏地には内ポケット３を設け、更にライナーの内面にも内ポケット１０を別途用意している。
【００１５】
【考案の効果】
本考案の防寒用学生服は、学生服本体裏地にファスナー部を逢着し、一方、別体であるライナーの端部にも同様にファスナー部を設けて、これらが脱着自由に取り付け可能としているために、冬季の寒い時期にライナーを取り付けるだけで防寒具の役目を果たす学生服である。
【００１６】
また教室等の学内に入った場合は、室内温度に合わせて暖かい場合には、ライナーを取り外すことで温度調整が簡易にできる効果を有する学生服である。
【図面の簡単な説明】
【図１】本考案に係る防寒用学生服の裏地に別体であるライナーを左裏地に取り付けた状態を示す正面図である。
【図２】本考案に係る防寒用学生服の裏地に別体であるライナーを右裏地に取り付けた状態を示す正面図である。
【図３】本考案に係るライナーの内面をを示す正面図である。
【図４】図３における側面図である。
【符号の説明】
１・・・学生服本体
２・・・詰襟
３・・・ポケット
４・・・ライナー
５・・・裏地
６・・・左袖無し部
７・・・裏地側ファスナー部
８・・・右袖無し部
９・・・ボタン
１０・・ライナー側内ポケット
１１・・ライナー側右袖無し部
１２・・ライナー側ファスナー部
１３・・ライナー側左袖無し部
１４・・ボタン掛け
【図１】
0003098895.tif 000003
【図２】
0003098895.tif 000004
【図３】
0003098895.tif 000005
【図４】
0003098895.tif 000006
(57)【要約】【課題】織物の表面、裏面をガーゼ織にし、中面にパイルを出す。【解決の手段】パイル経糸１本に対し、地経糸２本を用いて構成する。２本の地経糸を、表面、裏面に緯糸を交錯させガーゼ地を形成する。パイル経糸で中面にパイル組織と２種類の地経糸を交錯させ緯糸を挿入することにより、中面にパイルを形成する。【選択図】図４
0003098854.tif 000002
【実用新案登録請求の範囲】
【請求項１】
パイル経糸１本に対し２種類の地経糸並びに接点の地経糸を表面裏面用の緯糸とパイル用緯糸を変則的に交差させて製織する織物であって、従来の製品よりも通気性、保湿性、吸水性、柔軟性に富む織物である。
【考案の詳細な説明】
【０００１】
【考案に属する技術の分野】
本発明はタオルパイル地とガーゼ地とを不規則に交錯させて中間にパイルを織り込む織物及びその製織方法に関するものである。
【０００２】
通常のガーゼ織物に比べて本考案の織物は緯糸６本ないし１２本を一完全とし、タオル織機のテリーモーション機構を作動させ、この筬打機構を連続して製織する特殊織物である。
【目的】
表面並びに裏面にもパイル層を出さず表面と裏面との間にパイル層をつくり製織する。従来のガーゼタオルに無い特殊織物に展開する。
【考案の効果】
従来のパイル織、二重織、三重織の織物よりも変則ガーゼ織りの特長は、製品自体に保湿性、通気性、吸水性及び柔軟性に富み、尚且つ特殊加工（たんぶら−加工）を施しふんわりとした感触があり、将来において幼児や老人等向きに発展並びに展開出来るものと考えられる。
【図面の簡単な説明】
【図１】パイル経１本とパイルに対する地縦糸１本、それにガーゼ用地縦糸１本また、適当に接点をなす接点用地経糸を筬１穴に合計３本通したものである。
【図２】図１の経通し方法で緯糸５回打又は６回打の従来の表面パイル裏面ガーゼ織若しくは表面ガーゼ裏面パイル織とは異なった製織を示す全体の組織図である。
【図３】タオル織機の開口機構に於いて織前よりパイルＰ１，パイルＰ２、表地用Ｇ３，Ｇ４，Ｇ５，Ｇ６，裏地用Ｇ７，Ｇ８，接点用Ｇ９を綜絖枠に吊るした状態の製織図を示したものである。まず緯糸１本目にパイル枠Ｐ１，表地Ｇ３，Ｇ４，Ｇ５，Ｇ６を上げる。２本目にパイル枠Ｐ２，表地Ｇ３，Ｇ４，Ｇ５，Ｇ６を上げる。３本目にパイル枠Ｐ１，Ｐ２，表地用Ｇ３，Ｇ４，Ｇ５，Ｇ６並びに下地用のＧ７枠を上げる。以下順次にカードに組織点を開けて緯糸６本目無いし２本目に筬打機構に基づいて製織する。
【図４】図３の製織図に基づいて製織された表地、裏地、それらに挟み込まれたパイルの織前から見た断面図である。
Ｐ１　Ｐ２　　　　　　　　パイル
Ｇ３，Ｇ４，Ｇ５，Ｇ６　　表地用
Ｇ７，Ｇ８，Ｇ９　　　　　下地用
【図１】
0003098854.tif 000003
【図２】
0003098854.tif 000004
【図３】
0003098854.tif 000005
【図４】
0003098854.tif 000006
【手続補正書】
【提出日】平成15年4月23日(2003.4.23)
【手続補正１】
【補正対象書類名】明細書
【補正対象項目名】実用新案登録請求の範囲
【補正方法】変更
【補正の内容】
【実用新案登録請求の範囲】
【請求項１】
パイル経糸１本に対し２種類の地経糸並びに接点の地経糸を表面、裏面用の緯糸とパイル用の緯糸を交差させて製織する織物。
【手続補正書】
【提出日】平成15年8月8日(2003.8.8)
【手続補正１】
【補正対象書類名】明細書
【補正対象項目名】実用新案登録請求の範囲
【補正方法】変更
【補正の内容】
【実用新案登録請求の範囲】
【請求項１】
タオルパイル地とガーゼ地とを交差させて、表面、裏面にガーゼ地を織り、その表裏ガーゼ地の中間にパイルを製織する織物。
(57)【要約】［課題］従来の干し物は叩いたり引っ張ったりしてそのまま干した。干し上がった物に皺、縮みが多かった。それを、おのおの着せたり穿かせたりして早く綺麗に乾燥させるようにする。［解決手段］空気を入れて膨張させた干し物器に、おのおの着せる穿かせるして皺、縮みを無くし早く乾かし綺麗に乾燥させるようにした。【選択図】　　図２
0003098855.tif 000002
【実用新案登録請求の範囲】
【請求項１】
洗濯した物をおのおの着せる、穿かせる干し物器。
【考案の詳細な説明】
この考案は洗濯物を早く乾かし皺、縮みを少なく綺麗に乾燥させるものである。
従来の干し物は叩いたり、引っ張ったりしてそののまま干した。したがって干し上がった物に皺が有ったり縮みも多く、アイロン掛けが必要であった。
本案はその欠点を除くために考案されたもので、これを図１、について説明すれば空気を入れて膨張させた干し物器に、図２、について着せたり、穿かせたりし又、空気を追加して入れ皺、縮みを無くし早く乾かすことができる。
このようにして天日干しの場合は１日に２回から４回（四季による）は、干す事ができ薄い物、下着類は夜間室内で使用すれば朝には完全に乾かす事ができる。
干し物器に空気を入れていない時は折りたたんで携帯することができるので旅行、出張の時は大変便利である。
【図面の簡単な説明】
【図１】空気を入れて膨張させた干し物器の正面図である。
【図２】着せた、穿かせた干し物器の正面図である。
【符号の説明】
１　空気入れ出しホース
【図１】
0003098855.tif 000003
【図２】
0003098855.tif 000004
【手続補正書】
【提出日】平成15年3月27日(2003.3.27)
【手続補正２】
【補正対象書類名】明細書
【補正対象項目名】全文
【補正方法】変更
【補正の内容】
【考案の詳細な説明】
【実用新案登録請求の範囲】
【請求項１】空気入れ出しホースを有し、内部に空気を入れて
膨張させることのできる干し物器。
【考案の詳細な説明】
この考案は洗濯物を早く乾かし皺、縮みを少なく綺麗に乾燥させるものである。従来の干し物は、挟む・吊す・折り曲げる等の重ねて干すことが多かった。
したがって皺、縮みも多く乾きが遅かった。
本案はその欠点を除くために考案されたもので、これを図１、について説明すれば空気入れ出しホースから干し物器の内部に空気を入れて、ある程度膨張させた干し物器に図２、について着せる、穿かせる、してから又空気を追加して入れて満杯にして皺、縮みを無くして乾かす干し物器である。
このようにして天日干しの場合は１日に２回から４回は干すことができる。
薄い物、下着類は夜間室内で使用すれば明朝には完全に乾かすことができる。
干し物器に空気を入れていない時は折りたたんで携帯することができるので旅行出張等のときは大変便利である。
【図面の簡単な説明】
【図１】空気を入れて膨張させた干し物器の正面図である。
【図２】着せた、穿かせた干し物器の正面図である。
【符号の説明】
１．空気入れ出しホース
【手続補正３】
【補正対象書類名】図面
【補正対象項目名】全図
【補正方法】変更
【補正の内容】
【図１】
0003098855.tif 000005
【図２】
0003098855.tif 000006
(57)【要約】　　　（修正有）【課題】外部電源による充電だけでなく走行しながらも逐次充電することができる自転車を提供する。【解決手段】アシストのためのモーター４を発電機として利用し、２つの充電器１，２に逐次その場に合った状態で充電できる電動アシスト自転車。【選択図】　　　図１
0003098851.tif 000002
【実用新案登録請求の範囲】
【請求項１】
図面１及び図面２における電動機を発電機として使い、充電器をその電動機を使って充電することができるようにして、下り坂などで充電することが可能な電動自転車
【請求項２】
逐次充電を繰り返すとメモリー効果が表れてしまうため、一方をメモリー効果の表れる、従来電動自転車に使われている蓄電池、もう一方を逐次充電が可能な蓄電池の２つの蓄電池を備えた電動自転車
【請求項３】
人がペダルを踏むときの負荷の大きさに応じて、電動機として充電器からの電流を受け車輪を回す助けをしたり、また、発電機として充電器に電流を与え電力を蓄えることのできる電動自転車
【請求項４】
逐次充電を繰り返すことができるように、図面１及び図面２の３で示す部分に変圧器を装着し、電動機を発電機として使い充電するとき、大きな電圧を得ることができるようにする。
【考案の詳細な説明】
現在、健康志向から、自転車の需要が増えてきているが、その中で、坂道を走るのに苦労をすることが多く、電動機をアシストとして運転する電動自転車を多くの場所で見かけるようになった。
本考案は、家庭用電源からだけでなく、使用中にも電動機を発電機として働かせ、逐次充電が可能である電動自転車である。
従来の電動自転車は、家庭用の電源等、外部電源をたよりに充電をしているために、通常の平坦な道路を走る時に比べ、アップダウンがある所を走る時は、アシストを受けながらの運転距離がかなり短くなってしまっていた。本考案は、下り坂などを走っている時、ペダルを踏む力に余裕が出るのでこの力を利用して電動機を発電機として使い、充電をすることでアシストしながらの走行距離を延ばすことで、この欠点を補うことができる。
図面１、図面２は電動機によるアシスト部分のみを図面化した物である。以下にこの図面をもとに仕組みを説明する。
図面１は、モーター（電動機）４とボックス３が、導線で繋がっている。ボックス３は、充電器１及び充電器２と導線で繋がっている。充電器１は、従来モーターをアシストとして使う電動自転車に使われている物を使用し、家庭などのコンセントより充電して使うこととする。これは、逐次充電を行うと、メモリー効果により効力を失ってしまうからである。充電器２は、自動車用のバッテリーと同じような物を使い、逐次充電に耐え得るものとする。通常は、普通の電動アシスト自転車と同じように充電器１より電気を得て運転するが、下りのところでは、モーターを発電機として利用し、充電器２に充電を行う。このとき電流は、ボックス３の中に組み込まれた変圧器を通ることで、高電圧に変えられ、充電可能にする。ボックス３には変圧器のほかに、モーターと充電器１及び充電器２とを逐次切り換えて繋げる仕組みにする装置も組み込まれている物とする。
また、逐次充電ができ、充電容量が十分に大きい物を使えるのであれば、無理に充電器を２つ使う必要はなく、アシストが必要な時は、その充電器から電気を得てモーターを動かし、下り坂など余裕がある時は、モーターを発電機として使い、重力やのっている人がペダルをこぐ力を利用して電力を生み、それを変圧器で電圧をあげて充電器を充電するという使い方もできる。この場合は、発電機として利用するときは、それと充電器の間に変圧器のある導線につなぎ、モーターとして使いたいときは、それと直接、充電器と導線でつなぐかたちで切替えができるようにすれば良い。
どんなに平坦に見える所でも多少のアップダウンはあるものである。よってほとんどの場所で、標準とされる走行距離よりは実際には短い距離しか従来のアシスト式電動自転車では走行できない。また、自転車によるツーリングが行われているが、近い将来、ここでもアシストの需要が高まってくると考えられる。１度の充電による走行距離には、限界があるため、ツーリングのような長い距離を考えた場合、従来のものではその希望を満たすことはできない。本考案であれば逐次充電が可能であるため、下り坂での充電はもとより、一時止まって、ペダルを踏むことにより充電を行い少し休みながら走行するということも考えられ、様々な方法でツーリングを楽しむこともできる。
【図面の簡単な説明】
【図１】ペダルや車輪等を除いた全体図であり、ダイレクトに後ろの車輪をアシストする場合の図
【図２】ペダルや車輪等を除いた全体図であり、チェーンまたは、歯車を仲立ちとしてアシストする場合の図
【符号の説明】１は充電器１（従来使っているメモリー効果のある物）
２は充電器２（逐次充電が可能な物）
３はこの中に変圧器や導線の繋ぎの変換を行う装置がある
４はモーター（電動機）と発電機を兼ね合わせた物
５はペダルの回転を後輪に伝えるための歯車
６はチェーン
７は導線
８はペダルの回転を後輪が受けるための歯車
【図１】
0003098851.tif 000003
【図２】
0003098851.tif 000004
【手続補正書】
【提出日】平成15年3月18日(2003.3.18)
【手続補正２】
【補正対象書類名】明細書
【補正対象項目名】実用新案登録請求の範囲
【補正方法】変更
【補正の内容】
【実用新案登録請求の範囲】
【請求項１】
電動アシスト自転車の人のペダルを踏む力を援助する電動機を、下り坂などで発電機として使い、充電器をその発電機を使って充電することができる逐次充電可能アシスト自転車
【請求項２】
人がペダルを踏むときの負荷の大きさに応じて、電動機として充電器からの電流を受け車輪を回す助けをしたり、また、発電機として充電器に電流を与え電力を蓄えることができる逐次充電可能アシスト自転車
【請求項３】
発電機と充電器の間に変圧器を組み込み、発電機で発電された電圧を高い電圧にかえ、充電器に電流を流すことができる逐次充電可能アシスト自転車
【手続補正書】
【提出日】平成15年7月27日(2003.7.27)
【手続補正１】
【補正対象書類名】明細書
【補正対象項目名】実用新案登録請求の範囲
【補正方法】変更
【補正の内容】
【実用新案登録請求の範囲】
【請求項１】
電動アシスト自転車で下り坂を走行する時、モ−タ−と充電器の間に、充電器側に高電圧を生むように変圧器を取り付け、その変圧器と充電器の間に、並列にコンデンサ−をつないだダイオ−ドを取り付け、この時、モ−タ−を発電機として利用できるようにし、充電器に充電することができる逐次充電可能アシスト自転車
【請求項２】
上り坂または平坦な道路では、変圧器がついていない回路、下り坂では、変圧器がついている回路へとセンサ−により切替えができる請求項１に記載の逐次充電可能アシスト自転車
【請求項３】
センサ−での切替えだけでなく、手動での切替えができる請求項１に記載の逐次充電可能アシスト自転車
(57)【要約】【課題】本発明は、熱源がガスコンロ、電気コンロ、電磁調理器のいずれにも適応できる底面を平面とし、その延長周側面をゆるいＲ状立ち上り面として逆末広がり状の急斜面路する型式のフライパンを改良して、前記型式のフライパンであっても、調理操作中、調理物がフライパンの外に散逸しない構造としたフライパンを提供しようとする。【解決手段】底面の周縁から曲面でつながれて立設され、ほぼ同一高さを有する側面の一箇所に取手が取り付けられるフライパンにおいて、本体を底面を平面とし、底面の周側面を小さくＲ状に湾曲し、その延長面を所望の深さを形成する垂直の立ち上がり面とした。【選択図】　　　　図１
0003098822.tif 000002
【実用新案登録請求の範囲】
【請求項１】
底面の周縁から曲面でつながれて立設され、ほぼ同一高さを有する側面の一箇所に取手が取り付けられるフライパンにおいて、本体を底面を平面とし、底面の周側面を小さくＲ状に湾曲し、その延長面を所望の深さを形成する垂直の立ち上がり面としたことを特徴とするフライパン。
【考案の詳細な説明】
【０００１】
【考案の属する技術分野】
本考案は、チャーハンや野菜炒め等に適するフライパンに関する考案である。
【０００２】
【従来の技術】
従来のフライパンは、底面を湾曲面としてその延長周側面をそのまま内側に逆末広がり状に反った立ち上りＲ状面とし、或いは底面を平面としてその延長周側面を小さく湾曲したゆるいＲ状立ち上り面として、その延長面を逆末広がり状の急斜面として形成するのが普通であった。
【０００３】
ところが、前者の形式のフライパンでは、熱源を強火のガスコンロとするときには、熱が底面ばかりではなく底面から周側面にわたってほとんどむらなく伝わり、フライパンに投入されて箸やおたまでほぐしながら調理される調理物をまんべんなく加熱できると言う長所を有する。
【０００４】
そして、調理中にフライパンを揺動して調理物を反転する操作を行うとき、フライパンの周側面が上記した構成となっているから調理物をフライパンの外に散逸させることを阻止できる。しかし、電気コンロや電磁調理器を熱源とするときは、底面が湾曲面としてあるところから使用に際して支障を来たすことになる。
【０００５】
これに対して、後者の型式のフライパンは、底面が平面であるところから底面に対しては熱がむらなく伝わるが周側面は前者のフライパンの周側面ほどの機能を発揮する熱伝導はない。また、その周側面を以て前者のフライパンの周側面と同じ機能を発揮させようとするものでもない。しかし、熱源はガスコンロばかりでなく電気コンロ、電磁調理器に対しても適応できるという長所を有する。
【０００６】
一般的なフライパンは、調理中にフライパンを揺動して調理物を反転する操作を行うとき、フライパンの周側面が上記した構成となっているから調理物をフライパンの外に散逸してしまうと言う不都合が生じることがある。
【０００７】
【考案が解決しようとする課題】
本考案は、熱源がガスコンロ、電気コンロ、電磁調理器のいずれにも適応できる底面を平面とし、その延長周側面をゆるいＲ状立ち上り面として逆末広がり状の急斜面路する型式のフライパンを改良して、前記型式のフライパンであっても、調理操作中、調理物がフライパンの外に散逸しない構造としたフライパンを提供しようとするものである。
【０００８】
【課題を解決するための手段】
底面の周縁から曲面でつながれて立設され、ほぼ同一高さを有する側面の一箇所に取手が取り付けられるフライパンにおいて、本体を底面を平面とし、底面の周側面を小さくＲ状に湾曲し、その延長面を所望の深さを形成する垂直の立ち上がり面としたことを特徴とするものである。
【０００９】
【実施例】
本考案の実施の態様について図面に従って説明する。
図１は、本考案にかかるフライパンの縦断面図である。
図２は、本考案にかかるフライパンの平面図である。
図３は、本考案にかかるフライパンの要部の一部を拡大した断面図である。
【００１０】
本考案にかかるフライパン１は、図示実施例に示すとおり、底面２を平面とし、底面の周側面を小さくＲ状に湾曲した湾曲面３と、その延長面を所望の深さを形成する垂直の立ち上り面４とし、従来のフライパンと同様に柄５を取り付ける。
【００１１】
本考案にかかるフライパン１は、上記の如く底面２を平面としたので、熱源はガスコンロに限らず、電気コンロ、電磁調理器に対応できることになる。
本考案にかかるフライパン１の材質は問わない。業務用のフライパンとするか或いは家庭用のフライパンとするかによって材料を選択すればよい。
【００１２】
例えば、調理時のハンドリング等の操作を行うときのことを考え軽量でしかも熱伝導度を高めるものとしようとするときはアルミ板材、アルミ鋳物、アルミダイキャストを使用することが考えられる。
従って、製法は従来技術によって製り上げることができる。
【００１３】
本考案にかかるフライパン１の特徴は、底面２が平面となっているから、底面はまんべんなく均等に加熱される。加熱むらが生じることはない。
【００１４】
また、チャーハン、野菜炒め等の調理を行う際、調理物をフライパン１の中でかきまわしても底面の周側面は、従来のフライパンのように斜面になってはいないで上記のように小さくＲ状に湾曲した湾曲面３の延長面が垂直の立ち上がり面４となっているので、調理中にフライパンの外に散逸するようなことはない。
【００１５】
更に、チャーハン、野菜炒めの調理中に行うハンドリングによるフライパンの揺動に際してもフライパンの周側面の立ち上がり面４が調理物をフライパンの中に戻す働きをすることになる。
【００１６】
【考案の効果】
本考案のフライパンは底面が湾曲面となっていないで平面となっているので、熱源はガスコンロだけでなく電気コンロ、電磁調理器を使用することができる。
【００１７】
それだけでなく底面が平面となっているので、均一に調理物を炒めることができる。更に底面の周側面は、ほぼ垂直の立ち上り面として構成したので、フライパンの中に投入した調理物の調理中にフライパンを揺動して調理物のかえしを行うとき、調理物が垂直の立ち上り面として形成された周側面に当たり、フライパン内に戻る動きを生じさせフライパンから散逸するのを阻止することができる。
【図面の簡単な説明】
【図１】断面図。
【図２】平面図。
【図３】立ち上がり側面の拡大図。
【符号の説明】
１．フライパン
２．底面
３．湾曲面
４．立ち上り面
５．柄
【図１】
0003098822.tif 000003
【図２】
0003098822.tif 000004
【図３】
0003098822.tif 000005
(57)【要約】【課題】香りによって快適に生活することができる扇風機を提供する。【解決手段】香りを発する芳香物質を収納した芳香物質収納部２を、前面カバー３の中央部４に設ける。芳香物質収納部２を開閉可能として、芳香物質１を交換するための開閉部Ｓを有する。【選択図】　図２
0003098826.tif 000002
【実用新案登録請求の範囲】
【請求項１】
香りを発する芳香物質（１）を収納した芳香物質収納部（２）を、前面カバー（３）の中央部（４）に設けたことを特徴とする扇風機。
【請求項２】
香りを発する芳香物質（１）を収納した芳香物質収納部（２）を、前面カバー（３）の中央部（４）に設け、該芳香物質収納部（２）を開閉可能として上記芳香物質（１）を交換する開閉部（Ｓ）を備えたことを特徴とする扇風機。
【考案の詳細な説明】
【０００１】
【考案の属する技術分野】
本考案は、扇風機に関する。
【０００２】
【従来の技術】
一般に、扇風機は送風機能を備えている。
【０００３】
【考案が解決しようとする課題】
しかし、使用者は、風による清涼感以外のものは得られなかった。
そこで、本考案は、香りによって快適に生活することができる扇風機を提供することを目的とする。
【０００４】
【課題を解決するための手段】
上述の目的を達成するために、本考案に係る扇風機は、香りを発する芳香物質を収納した芳香物質収納部を、前面カバーの中央部に設けたものである。
【０００５】
また、香りを発する芳香物質を収納した芳香物質収納部を、前面カバーの中央部に設け、該芳香物質収納部を開閉可能として上記芳香物質を交換する開閉部を備えたものである。
【０００６】
【考案の実施の形態】
以下、実施の形態を示す図面に基づき、本考案を詳説する。
【０００７】
図１・図２は、本考案の第１の実施の形態を示す。すなわち、この扇風機は、香りを発する芳香物質１を収納した樹脂製芳香物質収納部２が、前面カバー３の中央部４に設けられる。この中央部４には、環状線材（部材）２１をもって窓部２２が形成されている。芳香物質１は、芳香剤から成り、例えば、ラベンダー、ローズマリー等の香りがする。
【０００８】
芳香物質収納部２は開閉可能な開閉部Ｓを有し、芳香物質１が交換自在とされる。具体的には、芳香物質収納部２は、相互に螺合されて殻状体（容器）を形成する外椀型部材５、及び、内椀型部材６から成る。外椀型部材５は、複数の小孔７を有する。外椀型部材５と内椀型部材６との螺合状態に於て、その螺合部１７近傍に円周方向の凹溝８が形成される。開閉部Ｓは上記螺合部１７によって構成されている。外椀型部材５にのみ小孔７を形成したのは、香りが長期間保ち得るようにするためである。
【０００９】
次に、この芳香物質収納部２に芳香物質１を収納して前面カバー３に付設する方法について説明する。まず、芳香物質１を、散逸防止のためのネット１４に収納する。その後、ネット１４に収納された芳香物質１を収納しつつ、外椀型部材５と内椀型部材６を、それぞれ、前面カバー３の中央部４の上記窓部２２を閉じるように対応させて、外側、内側から、相互に螺合させる（つまり開閉部Ｓを閉じる）。芳香物質収納部２を前面カバー３に付設した状態に於て、上述の凹溝８に、前面カバー３が嵌合する。
【００１０】
図３は、第２の実施の形態を示す。芳香物質収納部２は、外面に弯曲凸状壁を有すると共に、内面側が平坦壁面の殻状であって、複数の小孔７を有するとともに、開閉可能な扉部９を有する。つまり、開閉部Ｓは、この扉部９をもって構成されている。芳香物質収納部２は、前面カバー３に係合する複数の係合片１０を備える。
【００１１】
次に、この芳香物質収納部２に芳香物質１を収納して前面カバー３に付設する方法について説明する。まず、扉部９（開閉部Ｓ）を開放して、芳香物質１を収納し、扉部９（開閉部Ｓ）を閉鎖する。次に、係合片１０を前面カバー３に係合させる。
【００１２】
図４は、第３の実施の形態を示す。この扇風機は、前面カバー３の中央部４に中央カバー１１が設けられている。即ち、上述の窓部２２が予め塞がれている構造である。芳香物質収納部２は、中央カバー１１の外側を被覆状に設けられる。芳香物質収納部２は、外側にのみ小孔７を有する。これによって、香りが長持ちする。
【００１３】
次に、この芳香物質収納部２に芳香物質１を収納して前面カバー３に付設する方法について説明する。まず、扉部９（開閉部Ｓ）を開放して、芳香物質１を収納し、扉部９（開閉部Ｓ）を閉鎖する。次に、係合片１０を前面カバー３に係合させる。
【００１４】
図５は、第４の実施の形態を示す。この扇風機は、その中央部４の中央カバー１１の裏面（内方）に凹部１２が形成される。具体的には、前面カバー３の中央部４に於て、結合用円環平板３ａが設けられ、この結合用円環平板３ａに中央カバー１１が固着され、かつ、芳香物質収納部２が結合用円環平板３ａに内方から嵌着される。
【００１５】
芳香物質収納部２は、相互に螺合されて殻状体を形成する外半殻部材１５、内半殻部材１６から成る。開閉部Ｓは、この螺合部位によって構成されている。内半殻部材１６は、複数の小孔７を有する。外半殻部材１５は、凹凸曲面１３ａを周囲壁面側に有する弾発係止部１３を具備する。
【００１６】
次に、この芳香物質収納部２に芳香物質１を収納して前面カバー３に付設する方法について説明する。まず、芳香物質１をネット１４に収納する。その後、ネット１４に収納された芳香物質１を収納しつつ、外半殻部材１５と内半殻部材１６を相互に螺合させ、外半殻部材１５の弾発係止部１３を結合用円環平板３ａの内周端縁に（内側から）弾発的に係止させる。
【００１７】
なお、本考案は、設計変更可能であって、例えば、芳香物質１は、天然植物のポプリから成るも良い。
【００１８】
【考案の効果】
本考案は、上述の如く構成されるので、次に記載される効果を奏する。
【００１９】
（請求項１，２によれば）風による清涼感以外に、芳香物質１の香りによって快適に生活することができる。特に、芳香物質１の香りが、風に乗って、部屋全体に拡散するので、部屋内のどこにいても、香りを感じることができる。そして、快適に過ごせるので、生活を楽しくすることができる。また、芳香物質収納部２が目立たないところに取付けられるので、扇風機のデザインをくずさないで取付けることができる。
【００２０】
（請求項２によれば）芳香物質１の香りが弱くなってきた場合、古い芳香物質１を新しい芳香物質１と交換することにより、再度、香りを強くして扇風機を使用することができる。
【図面の簡単な説明】
【図１】本考案の第１の実施の形態を示す斜視図である。
【図２】要部拡大断面側面図である。
【図３】第２の実施の形態を示す要部拡大断面側面図である。
【図４】第３の実施の形態を示す要部拡大断面側面図である。
【図５】第４の実施の形態を示す要部拡大断面側面図である。
【符号の説明】
１　芳香物質
２　芳香物質収納部
３　前面カバー
４　中央部
Ｓ　開閉部
【図１】
0003098826.tif 000003
【図２】
0003098826.tif 000004
【図３】
0003098826.tif 000005
【図４】
0003098826.tif 000006
【図５】
0003098826.tif 000007
(57)【要約】【課題】釣上げた魚に掛った釣針を簡単に取り外すことのできる釣針はずし具に関する。【解決手段】先端にＭ字形の針掛け部を設けた棒状体１の中位置に切込み４，５を設けて糸掛け部とし、棒状体１の基部に握り部６を設けた構造とし、魚に掛った針をＭ字形針掛け部で、魚に掛った針を押え、糸を引張って糸掛けに巻掛けて固定することにより針と糸の固定を図る。【選択図】　図１
0003098830.tif 000002
【実用新案登録請求の範囲】
【請求項１】
先端にＭ字形の針掛け部（２）を設けた棒状体（１）の中位置に、切込み（４），（５）を設けた糸掛け部（３）を設け、該棒状体（１）の基部に握り部（６）を設けたことを特徴とした糸止め付き釣針はずし具。
【請求項２】
糸掛け部（３）は棒状体（１）に対して左右対象位置に段差αを付けて２段に切込み（４），（５）を設け、且つ前記２段の切込み（４），（５）を上下対象に設けたことを特徴とした請求項１に記載の糸止め付き釣針はずし具。
【考案の詳細な説明】
【０００１】
【考案の属する技術分野】
本考案は、釣上げた魚に掛った釣針を簡単に取りはずすことのできる釣針はずしの道具に関する。
【０００２】
【従来の技術】
従来から、釣上げた魚が呑み込んだ釣針をはずす道具としては種々考案がなされている。例えば、特開平６―８５４６号に見られるように、筒状体の先端に糸通し穴を設け、この穴より筒端に釣針を掛け、糸を通して糸端を、はさみ具で固定する釣針のはずし具が公知である。
【０００３】
【考案が解決しようとする課題】
しかし、この公知例の道具では、道具を持つための柄がないため扱いにくく、また糸止めもクリップのような糸ばさみで固定するため、針に対して糸の固定が不安定であって、針はずしが簡単にできない。
【０００４】
【課題を解決するための手段】
考案者は魚釣の愛好者として、この種の釣針はずし具について、簡単でしかも魚を傷めないで魚から針をはずすことのできる道具を試作し、研究を続けた結果、本考案に到達したものであって、本考案の要旨は、第一に魚が呑み込んでいる針に対して糸が弛まないように固定すること、第ニに取扱いが簡単であることにつきる。
【０００５】
このため本考案では、棒状体の先端に針掛け部を設け、棒状体の中間位置に
糸掛け部を設け、この糸掛け部の上下に糸止め用の切込みを設けることによっ
て、先端に掛けた針に対して糸は確実に固定されて弛むことなく、また棒状体
の基端に握り部を設けることによって、片手で操作ができるため簡単な使用で
確実に針はずしができる。
【０００６】
【考案の実施の形態】
添付図面により本考案の実施の形態を説明すると、図１は本考案の釣針はずし具の平面図であり、図２は手に持って、針（８）と糸（９）を、はずし具に固定する操作の実施例図であって、このように針（８）と糸（９）を固定して、魚の口の中を上下させて針（８）を魚（図示していない）からはずすものである。
【０００７】
【実施例】
本考案の針はずし具を説明すると、図１において、（１）は針はずし具本体となる棒状体で、この先端にＭ型の針掛け部（２）を設ける。そして、この棒状体の中間位置に糸掛け部（３）を設け、さらに棒状体（１）の基端に握り部（６）を設けて構成されている。
【０００８】
糸掛け部（３）は、図示されているように棒状体（１）に対して左右対象の位置に段差αを付けて２段に糸止め用の切込み（４），（５）を設け、さらにこの切込み（４），（５）を上下対象に設けて糸止め部を形成するものである。
【０００９】
したがって、段差αを付けた２段の糸止め用の切込み（４），（５）と、これによって形成される垂直部（７）は糸（９）を糸止め用の切込み（４）或は（５）に掛ける際の案内壁となって糸（９）の誘導を呈すこととなる。
【００１０】
次に本考案の針はずし具の使用例を図２により説明すると、魚の口の中に呑み込まれている針（８）を、棒状体（１）の先端のＭ形部（２）に図示のように引っかけ、針（２）についている糸（９）を引き寄せて案内部（７）に押し当てながら下方の切込み（４）又は（５）に挿入して固定し、さらに残り糸を図示のように上方に廻して上方の切込み（４），又は（５）に巻返して固定する。
【００１１】
このように操作することによって針と糸は固定され、図示のように片手で握り部（６）を持って、はずし具を上下することによって魚に掛っている針は簡単に外れ、魚を傷めることもない。
【００１２】
【考案の効果】
上述のように、本考案の釣針はずし具は、魚に掛っている針と糸が確実に固定されているため、道具を単に上下するのみで針は簡単に外れ、魚を傷めることもない。また片手で操作ができるという取扱い上も容易であって、従来の針はずし道具に比較して卓越した作用効果を奏する。
【図面の簡単な説明】
【図１】本考案の釣針はずし具の平面図
【図２】使用を示す実施例図
【符号の説明】
１　基体となる棒状体
２　Ｍ型の針掛け部
３　糸掛け部
４，５　糸止め用の切込み
６　握り部
７　糸案内部
８　針
９　釣り糸
α　段差
【図１】
0003098830.tif 000003
【図２】
0003098830.tif 000004